(57)【要約】【課題】ルアー本体が軟質素材で形成され、魚らしい左右揺動を可能とし、加えて、略Ｓ字状の屈曲が顕著に且つ安定して行える、ルアーを提供する。【解決手段】本発明のルアーは、ルアー本体２が、軟質ゴムまたは軟質樹脂で形成されており、後方部４は１つ以上の肉薄部４ａを含み、頭部３は頭部本体３１と抵抗体３２とを含み、抵抗体３２は、ルアー本体２の中心軸から離れる方向に突出した突出部３４を含み、釣針７の一部が、頭部３内に埋め込まれ、釣針の釣糸接続部７ａが、抵抗体３２の先端側面３２ａからルアー本体２の外方に突き出ている。【選択図】  図１
2018046778.tif 000002
【特許請求の範囲】
【請求項１】
ルアー本体と、釣針とを備えたルアーであって、
前記ルアー本体の頭部および前記頭部よりも後方側に配置された後方部が、軟質ゴムまたは軟質樹脂で形成されており、
前記後方部は、１つ以上の肉薄部を含み、
前記頭部は、頭部本体と、前記頭部本体よりも先端側において前記頭部本体に隣接配置された抵抗体とを含み、
前記抵抗体は、前記ルアー本体の中心軸から離れる方向に突出した突出部を含み、
前記釣針の一部が、前記頭部内に埋め込まれ、前記釣針の釣糸接続部が、前記抵抗体の先端側面から前記ルアー本体の外方に突き出ているルアー。
【請求項２】
前記突出部は、少なくとも前記頭部本体の前記抵抗体との境界よりも上方向及び左右両方向に突出している、請求項１に記載のルアー。
【請求項３】
前記抵抗体の先端側面は、前記ルアー本体の中心軸と直交するか又は上側が下側よりも頭部から遠ざかるように先端側に傾斜した平面を含む、請求項１又は２に記載のルアー。
【請求項４】
前記ルアー本体を側面から見て、前記突出部は、前記頭部本体の前記抵抗体との境界のうちの、最も上に位置する箇所よりも上方向に突出した部分を含む、請求項１から３のいずれかの項に記載のルアー。
【請求項５】
前記ルアー本体を上面から見て、前記突出部は、前記頭部本体の前記抵抗体との境界のうちの、ルアー本体の中心軸から最も遠い箇所よりも更に遠い部分を含む、請求項１から４のいずれかの項に記載のルアー。
【請求項６】
前記ルアー本体を側面から見て、前記抵抗体の上端は、前記ルアー本体から前記抵抗体を除いた残部のいずれの箇所よりも上に位置している、請求項１から５のいずれかの項に記載のルアー。
【請求項７】
前記抵抗体の先端側面は、下側から上側に向かって幅が広くなっている、請求項１から６のいずれかに記載のルアー。
【請求項８】
前記抵抗体の先端側面の形状は略逆三角形である、請求項１から７のいずれかに記載のルアー。
【請求項９】
前記釣針は、
前記釣糸接続部と、
前記釣糸接続部から延伸し下方向に屈曲した部分を含む屈曲部と、
前記屈曲部から後方側に向かって延伸した延伸軸部と、
前記釣り糸の針先が前記釣糸接続部側に向くように湾曲した湾曲部と、
前記針先を含む先端部と、を含み、
前記釣針の前記釣糸接続部よりも後方側の一部がルアー本体外に配置されており、
前記頭部の上面に窪みが形成されており、
前記針先を含む先端部が、窪み内に収まることより、前記ルアーを側面側から見たときに前記針先を含む先端部は見えない、請求項１から８のいずれかに記載のルアー。
【請求項１０】
前記ルアー本体は、前記頭部内に、
一端が前記抵抗体の前記先端側面で開口し、他端が前記頭部の底面で開口した、第１貫通路と、
一端が前記頭部の底面のうちの前記第１貫通路の他端よりも後方側で開口し、他端が前記窪みを形成する面で開口した、第２貫通路と、を含み、
前記第１貫通路内に、前記屈曲部が配置され、
前記第２貫通路内に、少なくとも前記湾曲部の一部が配置された、請求項９に記載のルアー。
【請求項１１】
少なくとも一部が前記頭部の底面側から前記頭部内に埋め込まれ、内径が前記第１貫通路及び前記第２貫通路のそれよりも大きい、１対のコイル状リングを更に含み、
一方のコイル状リングは、前記第１貫通路を囲うように配置され、
他方のコイル状リングは、前記第２貫通路を囲うように配置された、請求項１０に記載のルアー。
【請求項１２】
請求項１から１１のいずれかの項に記載のルアーを構成するルアー本体であって、
前記ルアー本体の頭部および前記頭部よりも後方側に配置された後方部が、軟質ゴムまたは軟質樹脂で形成されており、
前記後方部は、１つ以上の肉薄部を含み、
前記頭部は、頭部本体と、前記頭部本体よりも先端側において前記頭部本体に隣接配置された抵抗体とを含み、
前記抵抗体は、前記ルアー本体の中心軸から離れる方向に突出した突出部を含む、ルアー本体。
【発明の詳細な説明】
【技術分野】
【０００１】
本発明は、ルアー、及び当該ルアーを構成する軟質素材で成型されたルアー本体に関する。
【背景技術】
【０００２】
淡水魚であるブラックバスなどの大型肉食魚を釣るためには、従来からルアーが使用されている。海釣りにおいてもルアーは良く使用されている。とりわけ、プラスチックルアーのルアー本体は、よりリアルな疑似餌とするために、軟質素材で成型されることがある。
【０００３】
特許文献１には、ルアー本体が軟質素材で形成された従来のルアー（「軟質ワーム」と呼ばれる。）の一例が開示されている。特許文献１に開示の魚型ルアー１では、ルアー本体２が、頭部３と、頭部３よりも後方側に配置された後方部４とを含み、後方部４が１つ以上の肉薄部４ａを含むので、釣糸を介した操作により、魚らしい動きを実現できる。
【０００４】
特許文献２には、ルアー本体が軟質素材で形成された従来のルアーの他の一例が開示されている。特許文献２に開示のルアーでは、釣糸結束アイ挿入孔８の後方至近位置に、ルアー本体における上面から外方に向けてのびる板状の水受けリップ９が設けられており、当該リップが設けられることにより、ルアーの遊泳時に発生する振動を、釣糸１２を介して釣り人に的確に伝えることができるようになっている（特許文献２の図１参照）。
【０００５】
ところで、ルアー本体が硬質樹脂製のルアー（「プラグルアー」呼ばれる。）において、リップと呼ばれる抵抗体を備えたものが開示されている（例えば、特許文献３参照）。このリップは、ルアー本体の頭部から遠ざかるにつれて下方に傾斜しており、リップが水流を受けて、釣糸を介した操作により左右に揺動させ、魚らしい動きが与えられるようになっている。
【先行技術文献】
【特許文献】
【０００６】
【特許文献１】特開２００６−２２３２９６号公報
【特許文献２】特開２０１１−１７２５００号公報
【特許文献３】特開２０００−１１６２８２号公報
【発明の概要】
【発明が解決しようとする課題】
【０００７】
しかし、ルアー本体が軟質素材で形成されたルアーに対して、プラグルアーと同様にリップを設けても、プラグルアーに比べ、形状等について左右均等性が劣るため、水中にてバランスがとりづらく、予測不可能な動きをするため、規則正しい魚らしい左右の動き（揺動）を安定して実現することは困難であった。
【０００８】
そこで、本発明は、ルアー本体が軟質素材で形成され、魚らしい左右揺動を可能とし、加えて、ルアー本体の略Ｓ字状の屈曲が顕著に且つ安定して行える、ルアーを提供する。
【課題を解決するための手段】
【０００９】
本発明のルアーは、ルアー本体と、釣針とを備えたルアーであって、
前記ルアー本体の頭部および前記頭部よりも後方側に配置された後方部が、軟質ゴムまたは軟質樹脂で形成されており、
前記後方部は、１つ以上の肉薄部を含み、
前記頭部は、頭部本体と、前記頭部本体よりも先端側において前記頭部本体に隣接配置された抵抗体とを含み、
前記抵抗体は、前記ルアー本体の中心軸から離れる方向に突出した突出部を含み、
前記釣針の一部が、前記頭部内に埋め込まれ、前記釣針の釣糸接続部が、前記抵抗体の先端側面から前記ルアー本体の外方に突き出ている。
【００１０】
本発明のルアー本体は、本発明のルアーを構成するルアー本体であって、
前記ルアー本体の頭部および前記頭部よりも後方側に配置された後方部が、軟質ゴムまたは軟質樹脂で形成されており、
前記後方部は、１つ以上の肉薄部を含み、
前記頭部は、頭部本体と、前記頭部本体よりも先端側において前記頭部本体に隣接配置された抵抗体とを含み、
前記抵抗体は、前記ルアー本体の中心軸から離れる方向に突出した突出部を含む。
【発明の効果】
【００１１】
本発明では、ルアー本体が軟質素材で形成され、魚らしい左右揺動を可能とし、加えて、ルアー本体の略Ｓ字状の屈曲が顕著に且つ安定して行える、ルアー及びルアーに使用されるルアー本体を提供する。
【図面の簡単な説明】
【００１２】
【図１】図１は、本発明のルアーの一例の斜視図である。
【図２】図２は、図１に示した本発明のルアーの側面図である。
【図３】図３は、図１に示した本発明のルアーの上面図である。
【図４】図４は、図１に示した本発明のルアーの底面図である。
【図５】図５は、図３に示した本発明のルアーのＶ−Ｖ′断面図である。
【図６】図６は、図３に示した本発明のルアーを構成するルアー本体のＶ−Ｖ′断面図である。
【図７】図７は、図１に示した本発明のルアーを先端側から見た拡大図である。
【図８】図８は、図１に示した本発明のルアーを、後方側から見た部分拡大斜視図である。
【図９】図９は、本発明のルアーの他の一例の上面図である。
【図１０】図１０、本発明のルアーの更に別の例の上面図である。
【図１１】図１１、本発明のルアーの更に別の例を先端側から見た拡大図である。
【図１２】図１２、本発明のルアーの更に別の例を先端側から見た拡大図である。
【発明を実施するための最良の形態】
【００１３】
本発明は、更に以下［１］〜［17］を開示する。
【００１４】
［１］  ルアー本体と、釣針とを備えたルアーであって、
前記ルアー本体の頭部および前記頭部よりも後方側に配置された後方部が、軟質ゴムまたは軟質樹脂で形成されており、
前記後方部は、１つ以上の肉薄部を含み、
前記頭部は、頭部本体と、前記頭部本体よりも先端側において前記頭部本体に隣接配置された抵抗体とを含み、
前記抵抗体は、前記ルアー本体の中心軸から離れる方向に突出した突出部を含み、
前記釣針の一部が、前記頭部内に埋め込まれ、前記釣針の釣糸接続部が、前記抵抗体の先端側面から前記ルアー本体の外方に突き出ている、ルアー。
［２］  前記突出部は、前記頭部本体の前記抵抗体との境界よりも上方向及び左右両方向に突出している、前記［１］に記載のルアー。
［３］  前記抵抗体の先端側面は、前記ルアー本体の中心軸と直交するか又は上側が下側よりも頭部から遠ざかるように先端側に傾斜した平面を含む、前記［１］又は［２］に記載のルアー。
［４］  前記ルアー本体を側面から見て、前記突出部は、前記頭部本体の前記抵抗体との境界のうちの、最も上に位置する箇所よりも上方向に突出した部分を含む、前記［１］から［３］のいずれかに記載のルアー。
［５］  前記ルアー本体を上面から見て、前記突出部は、前記頭部本体の前記抵抗体との境界のうちの、ルアー本体の中心軸から最も遠い箇所よりも更に遠い部分を含む、前記［１］から［４］のいずれかに記載のルアー。
［６］  前記ルアー本体を側面から見て、前記抵抗体の上端は、前記ルアー本体から前記抵抗体を除いた残部のいずれの箇所よりも上に位置している、前記［１］から［５］のいずれかに記載のルアー。
［７］  前記抵抗体の前記先端側面は、下側から上側に向かって幅が広くなっている、前記［１］から［６］のいずれかに記載のルアー。
［８］  前記抵抗体の先端側面の形状は略逆三角形である、前記［１］から［７］のいずれかに記載のルアー。
［９］  前記釣針は、
前記釣糸接続部と、
前記釣糸接続部から延伸し下方向に屈曲した部分を含む屈曲部と、
前記屈曲部から後方側に向かって延伸した延伸軸部と、
前記釣り糸の針先が前記釣糸接続部側に向くように湾曲した湾曲部と、
前記針先を含む先端部と、を含み、
前記釣針の前記釣糸接続部よりも後方側の一部がルアー本体外に配置されており、
前記頭部の上面に第１の窪みが形成されており、
前記針先を含む先端部が、第１の窪み内に収まることより、前記ルアーを側面側から見たときに前記針先を含む先端部は見えない、前記［１］から［８］のいずれかに記載のルアー。
［10］  前記ルアー本体は、前記頭部内に、
一端が前記抵抗体の前記先端側面で開口し、他端が前記頭部の底面で開口した、第１貫通路と、
一端が前記頭部の底面のうちの前記第１貫通路の他端よりも後方側で開口し、他端が前記第１窪みを形成する面で開口した、第２貫通路と、を含み、
前記第１貫通路内に、前記屈曲部が配置され、
前記第２貫通路内に、少なくとも前記湾曲部の一部が配置された、前記［９］に記載のルアー。
［11］  少なくとも一部が前記頭部の底面側から前記頭部内に埋め込まれ、内径が前記第１貫通路及び前記第２貫通路のそれよりも大きい、１対のコイル状リングを更に含み、
一方のコイル状リングは、前記第１貫通路を囲うように配置され、
他方のコイル状リングは、前記第２貫通路を囲うように配置された、前記［10］に記載のルアー。
［12］  前記肉薄部は、板状である、前記［１］から［11］のいずれかに記載のルアー。
［13］  前記ルアー本体の前記後方部は、前記肉薄部を２つ以上有することによって、２以上の前記肉薄部と、１以上の肉厚部とが、前記ルアー本体の長手方向に沿って交互に配置された形状をしている、前記［１］から［12］のいずれかの項に記載のルアー。
［14］  前記肉厚部の前記頭部側の端面は、ルアーの長手方向と略直交する平面を含む前記［13］に記載のルアー。
［15］  前記［１］から［14］のいずれかに記載のルアーを構成するルアー本体であって、
前記ルアー本体の頭部および前記頭部よりも後方側に配置された後方部が、軟質ゴムまたは軟質樹脂で形成されており、
前記後方部は、１つ以上の肉薄部を含み、
前記頭部は、頭部本体と、前記頭部本体よりも先端側において前記頭部本体に隣接配置された抵抗体とを含み、
前記抵抗体は、前記ルアー本体の中心軸から離れる方向に突出した突出部を含む、ルアー本体。
［16］  前記突出部は、前記頭部本体の前記抵抗体との境界よりも上方向及び左右両方向に突出している、前記［15］に記載のルアー。
［17］  前記抵抗体の先端側面は、前記ルアー本体の中心軸と直交するか又は上側が下側よりも頭部から遠ざかるように先端側に傾斜した平面を含む、前記［15］又は［16］に記載のルアー。
【００１５】
以下、本発明のルアーの一例について、図面を参照しながら説明する。
【００１６】
（実施形態１）
図１は、本発明のルアーの一例の斜視図であり、図２は、図１に示した本発明のルアーの側面図であり、図３は、図１に示した本発明のルアーの上面図であり、図４は、図１に示した本発明のルアーの底面図である。図５は、図３に示した本発明のルアーのＶ−Ｖ′断面図であり、図６は、図３に示した本発明のルアーを構成するルアー本体のＶ−Ｖ′断面図である。図７は、図１に示した本発明のルアーを先端側から見た拡大図であり、図８は、図１に示した本発明のルアーを、後方側から見た部分拡大斜視図である。
【００１７】
尚、本願において、上面とは、水中で上方を向く側の面を意味する。また、「先端側」とは、ある位置を基準に、ルアーの長手方向のうちの釣糸接続部がある側を意味し、当該ある位置を基準に、ルアーの先端とは反対側を「後方側」と呼ぶ。また、「上側」とは、ある位置を基準に、水中で上に位置する側を意味し、「下側」とは、当該ある位置を基準に、水中で下に位置する側を意味する。
【００１８】
図１〜３に示すように、ルアー１は、ルアー本体２と、ルアー本体２の頭部３に設けられた釣針７とを備えている。
【００１９】
［ルアー本体］
ルアー本体２は、略魚型であり、頭部３と頭部３よりも後方側に配置された後方部４とを含んでいる。頭部３はその先端に抵抗体３２を含む。ルアー本体２の、抵抗体３２、頭部本体３１、及び後方部４は、いずれも軟質ゴムまたは軟質樹脂で形成されており、抵抗体３２、頭部本体３１、及び後方部４は、同一金型内で例えばインジェクション成形法等の方法により成型された一体物である。ルアー本体２は、例えば、その長手方向に延びたルアー本体２の中心軸Ｘ（図３参照）を含む水平面と当該中心軸Ｘ上で直交する面を基準として、左右対称に形成されている。
【００２０】
軟質ゴムとしては、例えば、シリコンゴムが挙げられる。軟質樹脂としては、例えば、塩化ビニル樹脂、ポリオレフィン等が挙げられる。
【００２１】
後方部４は、複数の肉薄部４ａと複数の肉厚部４ｂとを含み、複数の肉薄部４ａと複数の肉厚部４ｂとが、ルアー本体２の長手方向に沿って交互に配置されている。後方部４が少なく一つの肉薄部４ａと当該肉薄部４ａの後方に隣接配置された肉厚部４ｂとを含む構造をしていることにより、肉薄部４ａのうちの先端側端近傍と後端側端近傍の各々が関節のように機能して、ルアー本体２の左右方向の屈曲に寄与することから、本願において、当該構造を「多関節構造」と呼ぶ場合がある。
【００２２】
図３からよく分かるように、ルアー１を上面から見て、肉薄部４ａの厚みＬ１は、頭部３の後方側端における厚みＬ２よりも薄い。尚、本願において、肉薄部４ａの「厚み」は、上面の面方向と同方向の厚みを意味する。
【００２３】
ルアー本体２は、肉薄部４ａと肉厚部４ｂとを設けたことにより形成された、段部４ｃを有する。魚型ルアー１は、水中において釣糸を介して操作されると、段部４ｃが受ける水の抵抗により、肉薄部４ａが湾曲する。本実施形態のルアー１では、複数の肉薄部４ａと複数の肉厚部４ｂとが、ルアー本体２の長手方向に沿って交互に配置されているので、肉薄部４ａの上記湾曲が、ルアー本体２の長手方向に向って連続的に生じることとなる。そのため、魚型ルアー１では、釣糸を介した操作により、より魚らしい動きを実現できる。尚、段部４ｃを有していれば、尾部４１も肉厚部４ｂとする。
【００２４】
釣りを行う際には、魚の活性度に応じてルアーの泳速を変化させる必要がある。魚の活性度は、水温や水中の酸素濃度等に応じて変化するが、これらは季節の変化に伴い１年を通じてかなり変化する。そのため、ルアーの泳速についてもかなり変化させる必要がある。また、水温等の条件とは関係なく、釣り人の希望によりルアーの泳速を変化させることがある。そのため、どのような泳速であっても、魚らしい挙動を示すことが可能なルアーへのニーズがある。本発明のルアーでは、上記多関節構造を備えることにより、釣糸を介した操作により、泳速が速い場合のみならず、遅い場合のいずれであっても、魚らしい動きを実現できる。
【００２５】
肉薄部４ａの形状について特に制限はないが、例えば、図１に示すように、板状であると好ましい。肉薄部４ａが板状であると、ルアー本体２のフレキシブル性が増すので、釣糸を介した操作により、泳速が速い場合、遅い場合のいずれであっても、左右への屈曲の程度が大きく、左右にワイドなアクションをさせることができ、より魚らしい挙動を示すことが可能となる。
【００２６】
肉薄部４ａの厚みについて特に制限はないが、湾曲し易さと必要な強度との両立を考慮した上で、使用用途に応じて適宜決定すればよい。
【００２７】
肉厚部４ｂの形状は、隣接する肉薄部４ａよりも厚みが厚ければ特に制限はないが、例えば、図３に示すように、一点鎖線で表される通常の魚の形状をした偏平体６の後方部４に相当する部分の所定の箇所を、板状の肉薄部４ａに変えた場合の残余であればよい。
【００２８】
すなわち、本実施形態のルアー１のルアー本体部２は、通常の魚の形状をした偏平体６に複数の切り欠き部が設けられた形状をしている。
【００２９】
図３に示すとおり、ルアー本体２を上面から見たときの肉厚部４ｂの形状は、略台形であるが、肉厚部４ｂの形状はこれに制限されない。例えば、図９に示す、本発明のルアーの他の一例のように、所定の肉厚部４ｂの厚みは、その肉厚部４ｂの直ぐ後方に配置された肉薄部４ａの厚みに達するまで連続的に薄くなっていてもよい。
【００３０】
図３に示すように、各肉厚部４ｂの頭部側３の端面（段部４ｃ）は、魚型ルアー１の長手方向と略直交する平面４１ｂを含んでいると好ましい。上記平面４１ｂは、板状の肉薄部４ａの主面（肉薄部４ａの厚み方向と直交する面）と略直交しているとも言える。このように、肉薄部４ａと肉厚部４とを設けたことにより形成された、頭部３に面する段部４ｃが肉薄部４ａの主面と略直交する平面４１ｂであると、平面４１ｂがルアーの進行方向に対向する方向の水をしっかりと受けることができるので、肉薄部４ａの湾曲の程度が大きくなる。これにより、躍動感のある魚の動きを実現できる。
【００３１】
尚、上記「略直交」には、例えば、肉薄部４ａの主面に対する肉厚部４ｂの頭部側３の端面４１ｂの角度が９０°±１０°である場合が含まれる。また、略直交する「平面」には、製造上の都合で若干の凸凹が形成されている場合も含まれる。
【００３２】
肉薄部４ａと肉厚部４ｂの数については、特に制限はない。例えば、図１０に示す、本発明のルアーの更に別の一例のように、各々１つであってもよい。
【００３３】
頭部３は、頭部本体３１と、頭部本体３１よりも先端側において頭部本体３１に隣接配置された抵抗体３２と含む。ルアー本体２を側面から見て、頭部本体３１は、例えば、先端側に向かって漸次細くなった部分を含んでおり、好ましくは、抵抗体３２との境界３３において最も細い。そして、抵抗体３２は、図７から良くわかるように、ルアー本体２の中心軸から離れる方向に突出した突出部３４を含む。
【００３４】
水流が抵抗体３２のうちの突出部３４に当たると、突出部３４は撓みながら水の抵抗を適度にうける。そして、頭部３は、水の抵抗から逃げるために、左右どちらかの方向に頭部３を振ろうとする。そして、釣針７の釣糸接続部７ａが、抵抗体３２の先端側面３２ａからルアー本体２の外方に突き出ているので、頭部３のふり幅の限界を超えると、逆方向に抵抗を逃がそうとする。その結果、頭部３が大きく左右均等に振る動き（左右揺動）が発生する。
【００３５】
抵抗体３２の突出部３４は、頭部３が大きく左右均等に振る動き（左右揺動）を発生させる観点から、頭部本体３１の抵抗体３２との境界３３の何れかの箇所よりも、上方向と左右両方向の両方向に突出した突出部３４を含んでいると好ましく、同様の理由から、抵抗体３２の先端側面３２ａは、ルアー本体２の中心軸Ｘ（図３参照）と直交するか又は上側が下側よりも頭部３から遠ざかるように先端側に傾斜した平面を含んでいると好ましい。
【００３６】
ルアー本体２が、例えば、その長手方向に延びたルアー本体２の中心軸Ｘ（図３参照）を含む水平面と当該中心軸Ｘ上で直交する面を基準として、左右対称に形成されている場合、頭部３が大きく左右均等に振る動き（左右揺動）を発生させる観点から、抵抗体３２の先端側面３２ａからルアー本体２の外方に突き出た釣針７の釣糸接続部７ａも、中心軸Ｘ（図３参照）を含む水平面と当該中心軸Ｘ上で直交する面を基準として、左右対称に配置されていると好ましい。
【００３７】
しかも、この頭部３の左右揺動が、前記「多関節構造」による左右への屈曲程度及び屈曲速度を各段に増大させるため、水中にけるルアー１の姿勢も安定化される。本発明では、抵抗体３２への水流の衝突が、左右揺動の初動のキッカケを作り、当該左右揺動が「多関節構造」全体に継続的に続えられることにより、「多関節構造」の左右への屈曲の程度及び屈曲速度が各段に大きくなっているものと推定される。
【００３８】
本実施形態では、図２からよく分かるように、突出部３４が、ルアー本体２を側面から見て、当該境界３３のうちの、最も上に位置する箇所３３ａよりも上方向に突出した部分３４ａを含み（図７も参照、図７において、斜線は引かれた領域）、図３からよく分かるように、突出部３４が、ルアー本体２を上面から見て、ルアー本体２の中心軸Ｘから、最も遠い箇所３３ｂ、３３ｃよりも、各々、更に遠い部分３４ｂ，３４ｃを含んでいる（図７も参照、図７において、ドッドが描かれた領域）。そのため、抵抗体３２の先端側面３２ａの面積を上方向および左右方向にバランスよく確保できるため、上記左右揺動を「多関節構造」へバランスよく伝達でき、好ましい。
【００３９】
図２に示されるように、ルアー本体２を側面から見て、抵抗体３２の上端３５は、ルアー本体２のうちの、ルアー本体２から抵抗体３２を除いた残部のいずれの箇所よりも上に位置している。そのため、上記左右揺動を「多関節構造」全体に効率的に伝えることができ、好ましい。
【００４０】
ルアー１では、抵抗体３２の突出部３４が、ルアー本体２を側面から見て、好ましくは、当該境界３３のうちの、最も上に位置する箇所３３ａよりも上方向に突出した部分３４ａを含み、より好ましくは、抵抗体３２の上端３５が、ルアー本体２から抵抗体３２を除いた残部のいずれの箇所よりも上に位置している。そのため、下記の通り、抵抗体３２が「盾」として機能して、釣針７が、枝や草等の障害物に根掛かりすることを防止することができ、好ましい。
【００４１】
ルアーは、水草や漁礁等の障害物の近くに投げられることが多い。障害物の近くに魚が集まる傾向にあるからである。そのため、釣針７の先端部７ｅは、ルアー本体２を側面から見たときに見えないように、頭部３の上面に形成された窪み内に収まっていると好ましい。しかし、ルアー本体２は、軟質ゴムまたは軟質樹脂で形成されているので、繰り返し使用しているうちに、裂けて釣針７が頭部３内を滑り、頭部３の上面から飛び出すことがある。本発明のルアー１では、抵抗体３２が「盾」として機能を果たすため、釣針７の先端部７ｅが、頭部３の上面から飛び出すことがあってもなお障害物に釣針が引っ掛かることを抑制できる。よって、本実施形態の魚型ルアー１は、障害物のより近くに投げることが可能となる。
【００４２】
抵抗体３２の先端側面３２ａの形状について、突出部３４が撓みながら水の抵抗を適度にうけることができ、頭部３が大きく左右均等に振る動き（左右揺動）を可能とする限り制限はなく、略円形、略楕円形、略四角形等であってもよいが、よりダイナミックな左右揺動、引いてはよりダイナミックな左右方向の屈曲を可能とするという理由から、下側から上側に向かって幅が広くなっていると好ましく、例えば、略逆三角形であるとより好ましい。
【００４３】
図６に示されるように、突出部３４が撓みながら水の抵抗を適度にうけることができるという理由から、抵抗体３２の先端側面３２ａの、ルアー本体２の中心軸Ｘを含む水平面に対する傾斜角度θは、好ましくは８０°以上１６０°以下であり、より好ましくは９０°以上１４０°以下であり、更に好ましくは１００°以上１４０°以下である。
【００４４】
図２に示されるように、ルアー本体２を側面から見たときの抵抗体３２の好ましい厚みは、軟質ゴムまたは軟質樹脂の種類に応じて異なるが、突出部３４が撓みながら水の抵抗を適度にうけることができるという理由から、上方に向かって漸次薄くなっていると好ましい。
【００４５】
本実施形態のルアー１では、抵抗体３２は板状体であるが、抵抗体３２が、突出部３４を含み、水流に対して抵抗となる平面を含む先端側面３２ａを含んでいればその形状について特に制限はなく、例えば、半円球状等であってもよい。
【００４６】
［釣針］
図２等に示されるように、釣針７は、釣糸接続部７ａ（いわゆるラインアイ）と、屈曲部７ｂと、延伸軸部７ｃと、湾曲部７ｄと、針先７ｆを含む先端部７ｅとをこの順で含む。屈曲部７ｂは、釣糸接続部７ａから延伸し下方向に屈曲した部分を含む。延伸軸部７ｃは、屈曲部７ｂから後方側に向かって延伸している。湾曲部７ｄは、釣針７の針先７ｆが釣糸接続部７ａ側に向くように湾曲している。釣針７は、抵抗体３２の先端側面３２ａから頭部３内に差し込まれて、釣針７の釣糸接続部７ａよりも後方側の一部はルアー本体２内に配置されている。釣糸接続部５ａには、図示されていないが、釣糸が結びつけられる。
【００４７】
図６に示されるように、ルアー本体２の頭部３内には、釣針７を貫通させる、第１貫通路３８と第２貫通路３９とが形成されている。また、頭部３の上面には、第１の窪み３６が形成されており、前記上面は第１の窪み３６を形成する凹面を含む。一方、頭部３の底面には、第２の窪み３７が形成されており、前記底面は第２の窪み３７を形成する凹面を含む。
【００４８】
第１貫通路３８は、その一端３８ａが抵抗体３２の先端側面３２ａで開口し、他端３８ｂが頭部３の底面で開口している。第２貫通路３９は、その一端３９ａが頭部３の底面のうちの第１貫通路３８の他端３８ｂよりも後方側であって、第２の窪み３７を形成する凹面で開口し、他端３９ｂが第１の窪み３６を形成する凹面で開口している。従って、釣針７は、上記の通りの形状であることから、第１貫通路３８の一端３８ａから頭部３内に挿入された釣針７の先端部７ｅは、第１貫通路３８の他端３９ｂからルアー本体２の外に出た後、第２貫通路３９の一端３９ａから再度頭部３内に挿入されて、第２貫通路３９の他端３９ｂから出て、第１の窪み３６内に配置される。
【００４９】
そのため、釣針７の釣糸接続部７ａよりも後方側の一部がルアー本体２の外に配置され、第１貫通路３８内には屈曲部７ｂが配置され、第２貫通路３９には、湾曲部７ｄの一部が配置される。針先７ｆを含む先端部７ｅは、ルアー１を側面側から見たときに見えないように、第１の窪み３６内に収まっているので、針先７ｆが障害物に引っ掛かる事態、いわゆる根掛りが抑制できる。
【００５０】
ルアー１に魚が尾部４１側から食い付くと、ルアー本体２の頭部３が上下方向に潰れて、釣針７の針先７ｆが剥き出しになる。この状態で、釣糸を引っ張ると、魚の口に釣針７が深く突き刺さる。
【００５１】
上記第２の窪み３７は、釣針７のルアー本体２への装着性を容易化するため、及び、魚がルアー１に食いついた際のルアー本体２に対する釣針７の湾曲部７ｄの摺動抵抗を小さくして、釣針７が魚に刺さり易くすることができるという理由から、頭部３の底面に形成されていると好ましい。
【００５２】
図５からよく分かるように、本発明のルアー１は、頭部３の底面側から頭部３内に埋め込まれた１対のコイル状リング５ａ，５ｂを含む。１対のコイル状リング５ａ，５ｂの内径は、各々、第１貫通路３８、第２貫通路３９のそれよりも大きい。一方のコイル状リング５ａは、第１貫通路３８を囲うように配置され、他方のコイル状リング５ｂは、第２貫通路３９囲うように配置されている。この態様により、ルアー本体２の裂けが抑制できるので、ルアー本体２の裂けにより生じる釣針の滑りズレも抑制でき、その結果、ルアー本体２の耐久性が向上する。
【００５３】
１対のコイル状リング５ａ，５ｂは、金属製のコイルリング、樹脂製のコイルリングのいずれであってもよい。
【００５４】
図１から図８を用いて説明した本発明のルアーの一例では、１対のコイル状リング５ａ，５ｂを含むが、本発明のルアーの他の一例では、コイル状リング５ａ，５ｂのうちいずれか一方のみ、例えば、コイル状リング５ａのみを備えていてもよい。
【００５５】
図１から図８を用いて説明した本発明のルアーの一例では、抵抗体３２の突出部３４が、抵抗版３２と頭部本体３１との境界３３から上方向と左右両方向の双方に突出しており、ルアー本体２を側面から見て、当該境界３３のうちの、最も上に位置する箇所３３ａよりも上方向に突出した部分３４ａと、ルアー本体２を上面から見て、ルアー本体２の中心軸Ｘから最も遠い箇所３３ｂ、３３ｃよりも更に遠い部分３４ｂ，３４ｃを含んでいるが、図１１に示されるように、抵抗体３２の突出部３４は、上記部分３４ａ,部分３４ｂ及び部分３４ｃのうちの部分３４ａのみ含むものであってもよいし、図１２に示されるように、上記部分３４ａ,部分３４ｂ及び部分３４ｃのうちの部分３４ｂと部分３４ｃのみ含むものであってもよい。
【産業上の利用可能性】
【００５６】
本発明のルアーは、魚らしい動きをすることが可能であるので、ルアーとして有用である。
【符号の説明】
【００５７】
１                ルアー
２                ルアー本体
３                頭部
３１              頭部本体
３２              抵抗体
３２ａ            抵抗体の先端側面
３３              境界
３３ａ            ルアー本体を側面から見て、境界のうちの最も上方に位置する箇所
３３ｂ，３３ｃ    ルアー本体を上面から見て、境界のうちのルアー本体の中心軸か最も遠い箇所
３４              突出部
３４ａ            突出部のうちの、ルアー本体を側面から見て、境界のうちの最も上に位置する箇所よりも上方向に突出した部分
３４ｂ            突出部のうちの、ルアー本体を上面から見て、境界のうちのルアー本体中心軸Ｘから最も遠い箇所よりも右方向に突出した部分
３４ｃ            突出部のうちの、ルアー本体を上面から見て、境界のうちのルアー本体中心軸Ｘから最も遠い箇所よりも左方向に突出した部分
３５              抵抗体の上端
３６              窪み（第１の窪み）
３７              第２の窪み
３８              第１貫通路
３９              第２貫通路
４                後方部
４ａ              肉薄部
４ｂ              肉厚部
４１ｂ            平面
７                釣針
７ａ              釣糸接続部
７ｂ              屈曲部
７ｃ              延伸軸部
７ｄ              湾曲部
７ｅ              先端部
７ｆ              針先
【図１】
2018046778.tif 000003
【図２】
2018046778.tif 000004
【図３】
2018046778.tif 000005
【図４】
2018046778.tif 000006
【図５】
2018046778.tif 000007
【図６】
2018046778.tif 000008
【図７】
2018046778.tif 000009
【図８】
2018046778.tif 000010
【図９】
2018046778.tif 000011
【図１０】
2018046778.tif 000012
【図１１】
2018046778.tif 000013
【図１２】
2018046778.tif 000014